(57)【要約】  第１ＦＥＴスイッチ（１，２）は、外部電源（１５０）からのトランス（３０）の一次巻線（３１）への電気の供給を制御する。コンデンサ（４２）は、トランス（３０）の二次巻線（３２）に直列に接続される。第２ＦＥＴスイッチ（４）は、前記二次巻線（３２）及び前記コンデンサ（４２）に並列に接続される。ダイオード（１４）は、第２ＦＥＴスイッチ（４）に並列に接続される。スイッチ制御部（２００）は、前記第１ＦＥＴスイッチ（１，２）及び前記第２ＦＥＴスイッチ（４）を流れる電流を測定した値を取得し、前記電流の測定結果を基に、前記第１ＦＥＴスイッチ（１，２）及び前記第２ＦＥＴスイッチ（４）の導通を制御する。
2014033864.tif 000002
【特許請求の範囲】
【請求項１】
外部電源からの変圧器の一次巻線への電気の供給を制御する第１のスイッチ素子と、
前記変圧器の二次巻線に直列に接続されたコンデンサと、
前記二次巻線及び前記コンデンサに並列に接続された第２のスイッチ素子と、
前記第２のスイッチ素子に並列に接続された整流素子と、
前記第２のスイッチ素子を流れる電流を測定した値を取得し、前記電流の測定結果を基に、前記第１のスイッチ素子及び前記第２のスイッチ素子の導通を制御するスイッチ制御部と
を備えたことを特徴とする電源装置。
【請求項２】
前記スイッチ制御部は、前記第１のスイッチ素子と前記第２のスイッチ素子とがオフになっている時間が最小となるように制御することを特徴とする請求項１に記載の電源装置。
【請求項３】
前記スイッチ制御部は、前記電流の測定結果から前記第２のスイッチ素子にオフの信号を送ってから前記第１のスイッチ素子にオンの信号を送るまでの第１時間及び前記第１のスイッチ素子にオフの信号を送ってから前記第２のスイッチ素子にオンの信号を送るまでの第２時間を求め、前記第１時間及び前記第２時間を基に前記第１のスイッチ素子及び前記第２のスイッチ素子の導通を制御することを特徴とする請求項１に記載の電源装置。
【請求項４】
前記スイッチ制御部は、前記第２のスイッチ素子のドレイン電圧がオフになったタイミングで前記第１のスイッチ素子のドレイン電圧がかかり始め、前記第１のスイッチ素子のドレイン電圧がオフになったタイミングで前記第２のスイッチ素子のドレイン電圧がかかり始めるように制御することを特徴とする請求項３に記載の電源装置。
【請求項５】
前記スイッチ制御部は、前記電流と前記第１のスイッチ素子及び前記第２のスイッチ素子の動作との関係を予め記憶しており、前記測定結果に対応する前記第１のスイッチ素子及び前記第２のスイッチ素子の動作を取得し、取得した動作を基に前記第１のスイッチ素子及び前記第２のスイッチ素子の導通を制御することを特徴とする請求項１に記載の電源装置。
【請求項６】
前記第１のスイッチ素子は、２つのスイッチ素子を有することを特徴とする請求項１に記載の電源装置。
【請求項７】
前記スイッチ制御部は、前記第２のスイッチ素子に対してオフの信号を送った後、前記第２のスイッチ素子のオフのゲートディレイ時間と前記第２のスイッチ素子がオフになるまでにかかる時間との加算結果から前記第１のスイッチ素子のオンのゲートディレイ時間を減算した時間の経過後に、前記第１のスイッチ素子に対してオンの信号を送信することを特徴とする請求項１に記載の電源装置。
【請求項８】
前記スイッチ制御部は、前記第１のスイッチ素子に対してオフの信号を送った後、前記第１のスイッチ素子のオフのゲートディレイ時間と前記第１のスイッチ素子がオフになるまでにかかる時間との加算結果から前記第２のスイッチ素子のオンのゲートディレイ時間を減算した時間の経過後に、前記第２のスイッチ素子に対してオンの信号を送信することを特徴とする請求項１に記載の電源装置。
【請求項９】
前記二次巻線からの出力電流を測定する電流センサと、
前記二次巻線からの出力電圧を測定する電圧センサとをさらに備え、
前記スイッチ制御部は、
前記電圧センサによる測定結果を基に、Ｄｕｔｙ比を算出するＤｕｔｙ比算出部と、
前記スイッチ制御部は、前記電流センサにより測定された前記電流の値を取得し、前記電流の測定結果から前記第２のスイッチ素子にオフの信号を送ってから前記第１のスイッチ素子にオンの信号を送るまでの第１時間及び前記第１のスイッチ素子にオフの信号を送ってから前記第２のスイッチ素子にオンの信号を送るまでの第２時間を求める調整時間算出部と、
第１時間及び第２時間を基に、前記Ｄｕｔｙ比を補正するＤｕｔｙ比補正部と、
前記Ｄｕｔｙ比補正部により補正されたＤｕｔｙ比を基に、前記第１のスイッチ素子及び前記第２のスイッチ素子に対して電圧を印加する電圧印加部とを有する
ことを特徴とする請求項１に記載の電源装置。
【請求項１０】
前記第２のスイッチ素子の温度を測定する温度センサをさらに備え、
前記スイッチ制御部は、温度毎に、前記電流と前記第１のスイッチ素子及び前記第２のスイッチ素子の動作との関係を予め記憶しており、前記温度センサにより測定された温度及び前記電流の測定結果を基に、前記第１のスイッチ素子及び前記第２のスイッチ素子の動作を取得し、取得した動作を基に前記第１のスイッチ素子及び前記第２のスイッチ素子の導通を制御することを特徴とする請求項１に記載の電源装置。
【請求項１１】
前記スイッチ制御部は、所定時間毎に前記第１のスイッチ素子及び前記第２のスイッチ素子のオンオフのタイミングを制御することを特徴とする請求項１に記載の電源装置。
【請求項１２】
前記スイッチ制御部は、電流の変化を求め、前記所定時間毎に加えて当該変化が大きい場合に、第１のスイッチ素子及び前記第２のスイッチ素子のオンオフのタイミングを制御することを特徴とする請求項１１に記載の電源装置。
【請求項１３】
外部電源からの変圧器の一次巻線への電気の供給を制御する第１のスイッチ素子と、前記変圧器の二次巻線に直列に接続されたコンデンサと、前記二次巻線及び前記コンデンサに並列に接続された第２のスイッチ素子と、前記第２のスイッチ素子に並列に接続された整流素子とを有する電源装置の制御方法において、
前記第２のスイッチ素子を流れる電流を測定し、
前記電流の測定結果を基に、前記第１のスイッチ素子及び前記第２のスイッチ素子の導通を制御する
ことを特徴とする電源装置の制御方法。
【発明の詳細な説明】
【技術分野】
【０００１】
本発明は、電源装置及び電源装置の制御方法に関する。
【背景技術】
【０００２】
電源装置では、電圧を降圧するためにＤＣ−ＤＣ（Direct  Current  to    Direct  Current）コンバータが用いられる場合がある。例えば、携帯電話の充電器やノートパソコンのＡＣ（Alternating  Current）アダプタなどでは、入力された１００Ｖの交流電圧を直流電圧に変換し、その後、ＤＣ−ＤＣコンバータにより直流電圧を降圧して電力を供給することが行われている。【０００３】
特に、携帯電話の充電器やパソコンのＡＣアダプタなどの入力電圧が高く出力する電圧が低い電源装置においては、ＤＣ−ＤＣコンバータとして絶縁型のフォワードコンバータが用いられることがある。【０００４】
しかしシングルエンドのフォワードコンバータの回路では、エネルギーの解放巻線が設けられるため変圧器であるトランスにおいて大きな損失が発生してしまう。そこで、トランスの損失を軽減するために、メイントランスに２つのスイッチ素子としてのＦＥＴ（Field  Effect  Transistor）が配置されたダブルエンドフォワード回路が用いられる場合がある。ダブルエンドフォワード回路を用いた場合、エネルギーの解放巻線が搭載されなくなるため、トランスの損失を軽減することができる。さらに、ダブルエンドフォワード回路を用いた電源装置では、さらなる高効率化を実現するため、二次側ダイオードに対して並列に同期整流素子が接続される。【０００５】
図１７は、ダブルエンドフォワード回路の一例の図である。以下では、スイッチ９０１〜９０３がオンでスイッチ９０４がオフになった状態からの電気の流れの遷移を説明する。【０００６】
スイッチ９０１〜９０３がオンでスイッチ９０４がオフになると、点線９２１のように、スイッチ９０１及びスイッチ９０２を経由して電気が流れる。これにより誘導電流が発生し、点線９２３のようにスイッチ９０３を経由して電気が流れる。電気はコンデンサに蓄えられると共に、外部へ出力される。【０００７】
次に、スイッチ９０１〜９０３をオフにすることで、一次コイルに蓄えられたエネルギーにより、一点鎖線９２２のようにダイオード９１１及びダイオード９１２を経由して電気が流れる。この時、二次側のチョークコイルに蓄えられたエネルギーにより、ダイオード９１４及びコンデンサを経由して電気が流れる。この時、スイッチ９０４は未だオフの状態であるので、二次側では二点鎖線９２４のようにダイオード９１４を経由して電気が流れる。また、一次側コイルに流れる電気により誘導電流が発生し、電気が流れる。この電機の流れる向きは、二点鎖線９２４と同じ方向であるので、二次側に流れる電気を阻害しない。ただし、この状態では、ダイオード９１４を経由するところで電気の損失が発生してしまう。そこで、スイッチ９０４をオンにして、スイッチ９０４を経由して電気を流すことになる。こうすることで、ダイオード９１４を経由せずに電気が流れるので、損失が軽減する。【０００８】
ここで、スイッチ９０１及びスイッチ９０２がオンの状態でスイッチ９０４をオンにすると、双方にドレイン電流が流れ、ショートが発生してしまう。そこで、スイッチ９０１及びスイッチ９０２をオフにした後にスイッチ９０４をオンにすることになる。【０００９】
次に、スイッチ９０１及びスイッチ９０２をオンにするが、スイッチ９０１及び９０２とスイッチ９０４とが同時にオンになった場合、すなわち、スイッチ９０１及び９０２とスイッチ９０４とに同時にドレイン電流が流れた場合、ショートが発生してしまう。そこで、ショートが発生しないように、スイッチ９０１及びスイッチ９０２をオンにする前にスイッチ９０４をオフにし、その後スイッチ９０１〜９０３をオンにする。この場合も、スイッチ９０４をオフにした状態では、二点差線９２４のように電気が流れる。その後、スイッチ９０１〜９０３がオンになることで、電機が点線９２３のように流れる。【００１０】
ここで、図１７では、分かり易いように、ダイオード９１３及びダイオード９１４をスイッチ９０３及びスイッチ９０４とは別に設けている。ただし、一般的に、ＦＥＴスイッチであるスイッチ９０３及びスイッチ９０４に寄生ダイオードが内蔵されており、実際にはダイオード９１３及びダイオード９１４は設けられないこともある。【００１１】
ダブルエンドフォワード回路を用いた図１７に示すようなＤＣ−ＤＣコンバータでは、スイッチ９０１〜９０４が全てオフの状態では、二点差線９２４のようにダイオード９１４を経由して電気が流れる。このようにダイオード９１４を経由して電気が流れた場合、ダイオード９１４において電気の損失が発生する。例えば、ダイオード９１４の両端では１Ｖの電気の損失が発生する。そこで、ダイオード９１４に電気が流れる時間はなるべく短くすることが好ましい。しかし、上述したように、スイッチ９０１及びスイッチ９０２とスイッチ９０４とが同時にオンになった場合ショートが発生してしまうので、スイッチ９０１及びスイッチ９０２とスイッチ９０４との切り替えのタイミングに差を設けなければならない。このように、スイッチ９０１及びスイッチ９０２とスイッチ９０４との双方にドレイン電流が流れていない時間をデッドタイムという。デッドタイムでは、ダイオードを経由して電気が流れるため、損失が発生してしまう。また、デッドタイムは、電源が無負荷のときに最長になる。そこで、従来の電源装置では、損失をなるべく軽減させるために、無負荷の時のデッドタイムが最短になるように設定されている。【００１２】
なお、ＤＣ−ＤＣコンバータでは、出力電圧が大きくなる場合に、ボディダイオードの導通期間を伸ばして出力電圧の上昇を抑える従来技術が提供されている。また、直列に接続されたスイッチを交互にオンするＤＣ−ＤＣにおいて、貫通電流を防止するためにスイッチの特性に合わせてスイッチのオンのタイミングを調整する従来技術が提供されている。
【先行技術文献】
【特許文献】
【００１３】
【特許文献１】特開２００７−１５１２７１号公報
【特許文献２】特開２０１１−１９９９７２号公報
【発明の概要】
【発明が解決しようとする課題】
【００１４】
しかしながら、電源の負荷電流が大きくなると、スイッチ素子としてのＦＥＴスイッチに印加するドレイン電流が増加し、ＦＥＴのターンオンやターンオフの速度が速くなる。そのため、従来のように、無負荷のときのデッドタイムを最短にするように設定した場合、大電流時にはデッドタイムが長くなってしまい、電気の損失が増大してしまう。【００１５】
図１８は、大電流時におけるデッドタイムの拡大を説明するための図である。グラフ９６１は、図１７のＦＥＴスイッチ９０１のゲート電圧を表すグラフである。グラフ９６２は、ＦＥＴスイッチ９０１のドレイン電圧を表すグラフである。グラフ９６３は、図１７のＦＥＴスイッチ９０４のゲート電圧を表すグラフである。グラフ９６４は、ＦＥＴスイッチ９０４のドレイン電圧を表すグラフである。ＦＥＴスイッチ９０１〜９０３は同時にオンオフするものとする。そして、グラフ９６１及び９６２は、Ｈｉｇｈでオンとなり、Ｌｏｗでオフとなる。また、ＦＥＴスイッチ９０１〜９０４は、ドレイン電圧が下がるとドレイン電流が流れるものとする。【００１６】
この時、ＤＣ−ＤＣコンバータは、無負荷のときにデットタイムが最短になるように調整され、グラフ９６２及び９６４の実線のように、タイミング９４１で、ＦＥＴスイッチ９０４のドレイン電流が流れなくなり、ＦＥＴスイッチ９０１のドレイン電流が流れ出す。また、タイミング９４２で、ＦＥＴスイッチ９０１のドレイン電流が流れなくなり、ＦＥＴスイッチ９０４のドレイン電流が流れ出す。【００１７】
しかし、ドレイン電流が大きくなると、ＦＥＴスイッチ９０１及び９０４のオンオフの速度が点線９３１〜９３４に示されるように早くなる。そのため、タイミング９４３でＦＥＴスイッチ９０４のドレイン電流が流れなくなり、期間９５１のようにデッドタイムが拡大してしまう。また、タイミング９４４でＦＥＴスイッチ９０１のドレイン電流が流れなくなり、期間９５２のようにデッドタイムが拡大してしまう。【００１８】
また、ボディダイオードの導通期間を変化させる従来技術では、デッドタイムを短くすることは考慮されておらず、電気の損失を抑えることは困難である。また、スイッチの特性に合わせてオンのタイミングを調整する従来技術でも、電流の増加によるデッドタイムの変化は考慮されておらず、電気の損失を抑えることは困難である。【００１９】
開示の技術は、上記に鑑みてなされたものであって、エネルギーの損失を軽減した電源装置及び電源装置の制御方法を提供することを目的とする。
【課題を解決するための手段】
【００２０】
本願の開示する電源装置及び電源装置の制御方法は、一つの態様において、第１のスイッチ素子は、外部電源からの変圧器の一次巻線への電気の供給を制御する。コンデンサは、前記変圧器の二次巻線に直列に接続される。第２のスイッチ素子は、前記二次巻線及び前記コンデンサに並列に接続される。整流素子は、前記第２のスイッチ素子に並列に接続される。スイッチ制御部は、前記第２のスイッチ素子を流れる電流を測定した値を取得し、前記電流の測定結果を基に、前記第１のスイッチ素子及び前記第２のスイッチ素子の導通を制御する。
【発明の効果】
【００２１】
本願の開示する電源装置及び電源装置の制御方法の一つの態様によれば、エネルギーの損失を軽減することができるという効果を奏する。
【図面の簡単な説明】
【００２２】
【図１】図１は、本実施例に係る電源装置が搭載されたサーバの構成図である。
【図２】図２は、実施例１に係るＤＣ−ＤＣコンバータのブロック図である。
【図３】図３は、コンバータ回路の詳細を表す回路図である。
【図４】図４は、調整時間の算出を説明するための図である。
【図５】図５は、ＦＥＴスイッチのデータシートの一例の図である。
【図６】図６は、２０．７（Ａ）の電流が流れる場合の定義値テーブルである。
【図７】図７は、Ｄｕｔｙ比演算を説明するための図である。
【図８】図８は、スイッチ制御部のハードウェア構成図である。
【図９】図９は、実施例１に係る電源装置におけるＤＣ−ＤＣコンバータの制御のフローチャートである。
【図１０】図１０は、シミュレーション回路の回路図である。
【図１１】図１１は、ＳＰＩＣＥシミュレーションの結果を表す図である。
【図１２】図１２は、変形例に係る電源装置と従来の電源装置との効率及び損失を比較するための図である。
【図１３】図１３は、実施例２に係るＤＣ−ＤＣコンバータのブロック図である。
【図１４】図１４は、実施例２に係る電源装置におけるＤＣ−ＤＣコンバータの制御のフローチャートである。
【図１５】図１５は、実施例３に係るＤＣ−ＤＣコンバータのブロック図である。
【図１６】図１６は、実施例３に係る電源装置におけるＤＣ−ＤＣコンバータの制御のフローチャートである。
【図１７】図１７は、ダブルエンドフォワード回路の一例の図である。
【図１８】図１８は、大電流時におけるデッドタイムの拡大を説明するための図である。
【発明を実施するための形態】
【００２３】
以下に、本願の開示する電源装置及び電源装置の制御方法の実施例を図面に基づいて詳細に説明する。なお、以下の実施例により本願の開示する電源装置及び電源装置の制御方法が限定されるものではない。特に、以下では、サーバに搭載された電源装置を例に説明するが、これに限らず、他の機器に搭載された電源装置であってもよい。
【実施例１】
【００２４】
図１は、本実施例に係る電源装置が搭載されたサーバの構成図である。図１に示すように、サーバ１００は、電源装置であるPower  Supply  Unit（ＰＳＵ）１０１を有する。また、サーバ１００は、Central  Processing  Unit（ＣＰＵ）やメモリが搭載されたメインボード１０２、ハードディスク１０３、ＣＤ−ＲＯＭ（Compact  Disk  Read  Only  Memory）１０４及びその他ＬＳＩ（Large  Scale  Integration）１０５を有している。【００２５】
ＰＳＵ１０１は、整流器１１０、力率改善回路（Power  Factor  Correction：ＰＦＣ）１１１及びＤＣ−ＤＣコンバータ１１２を有している。【００２６】
外部電源１５０は、商用電源などの電力供給源である。外部電源１５０は、サーバ１００に搭載された整流器１１０などに接続されている。外部電源１５０は、交流の電気を整流器１１０へ供給する。【００２７】
整流器１１０は、外部電源１５０から交流の電気の入力を受ける。そして、整流器１１０は、入力された交流を直流へ変換する。次に、整流器１１０は、直流に変換した電気を力率改善回路１１１へ出力する。【００２８】
力率改善回路１１１は、直流の電気の入力を整流器１１０から受ける。そして、力率改善回路１１１は、受信した直流の電気高調波を取り除くなどして力率の改善を行う。その後、力率改善回路１１１は、力率を改善した直流の電気をＤＣ−ＤＣコンバータ１１２へ出力する。【００２９】
ＤＣ−ＤＣコンバータ１１２は、直流の電気の入力を力率改善回路１１１から受ける。そして、ＤＣ−ＤＣコンバータ１１２は、受信した電気の電圧を下げる。その後、ＤＣ−ＤＣコンバータ１１２は、降圧した直流の電気をメインボード１０２、ハードディスク１０３、ＣＤ−ＲＯＭ１０４及びその他ＬＳＩ１０５などに供給する。ＤＣ−ＤＣコンバータ１１２による降圧については、後で詳細に説明する。【００３０】
メインボード１０２、ハードディスク１０３、ＣＤ−ＲＯＭ１０４及びその他ＬＳＩ１０５は、ＤＣ−ＤＣコンバータ１１２から供給された電力を用いて各種処理の実行などを行う。【００３１】
図２は、実施例１に係るＤＣ−ＤＣコンバータのブロック図である。図２に示すように、ＤＣ−ＤＣコンバータ１１２は、コンバータ回路１２１、電流センサ１２２、電圧センサ１２３及びスイッチ制御部２００を有している。【００３２】
図３は、コンバータ回路の詳細を表す回路図である。コンバータ回路１２１は、ダブルエンドフォワード回路である。【００３３】
コンバータ回路１２１は、一次側回路２１１及び二次側回路２１２を有している。【００３４】
一次側回路２１１は、ＦＥＴスイッチ１、ＦＥＴスイッチ２、ダイオード１１、ダイオード１２、入力端子２１、出力端子２２、ゲート電圧入力端子２３、ゲート電圧入力端子２４及び一次コイル３１を有している。ここで、ＦＥＴスイッチ１、ＦＥＴスイッチ２は、それぞれスイッチ素子として所定の特性を満たせばＦＥＴに限られるものではない。また、ダイオード１１、ダイオード１２は、それぞれ整流素子として所定の特性を満たせばダイオードに限られるものではない。【００３５】
入力端子２１は、電気の入力を力率改善回路１１１から受ける。出力端子２２は、力率改善回路１１１に電気を出力する。【００３６】
入力端子２１と出力端子２２との間に、ＦＥＴスイッチ１、一次コイル３１及びＦＥＴスイッチ２が、ここでの記載順に直列に並んでいる。【００３７】
また、一次側回路２１１には、ＦＥＴスイッチ１と入力端子２１との間とＦＥＴスイッチ２と一次コイル３１との間とを結ぶＦＥＴスイッチ１の迂回経路が設けられている。そして、ＦＥＴスイッチ１の迂回経路上に、ＦＥＴスイッチ２と一次コイル３１との間の分岐点からＦＥＴスイッチ１と入力端子２１との間の分岐点へと電気を流すようにダイオード１１が設けられている。【００３８】
また、一次側回路２１１には、ＦＥＴスイッチ１と一次コイル３１との間とＦＥＴスイッチ２と出力端子２２との間とを結ぶＦＥＴスイッチ２の迂回経路が設けられている。そして、ＦＥＴスイッチ２の迂回経路上に、ＦＥＴスイッチ２と出力端子２２との間の分岐点からＦＥＴスイッチ１と一次コイル３１との間の分岐点へと電気を流すようにダイオード１２が設けられている。【００３９】
ゲート電圧入力端子２３及び２４は、ゲート電圧の入力をスイッチ制御部２００から受ける。ゲート電圧入力端子２３は、ＦＥＴスイッチ１のゲートに接続している。また、ゲート電圧入力端子２４は、ＦＥＴスイッチ２のゲートに接続している。【００４０】
ＦＥＴスイッチ１は、ゲート電圧入力端子２３から入力されたゲート電圧が印加されるとオンになる。また、ゲート電圧入力端子２３からのゲート電圧が印加されなくなると、ＦＥＴスイッチ１は、オフになる。【００４１】
ＦＥＴスイッチ２は、ゲート電圧入力端子２４から入力されたゲート電圧が印加されるとオンになる。また、ゲート電圧入力端子２４からのゲート電圧が印加されなくなると、ＦＥＴスイッチ２は、オフになる。【００４２】
二次側回路２１２は、ＦＥＴスイッチ３、ＦＥＴスイッチ４、ダイオード１３、ダイオード１４、出力端子２５、入力端子２６、ゲート電圧入力端子２７、ゲート電圧入力端子２８、二次コイル３２、チョークコイル４１及びコンデンサ４２を有している。【００４３】
出力端子２５及び入力端子２６の間に、二次コイル３２、ダイオード１４及びコンデンサ４２が並列に接続されている。ダイオード１４は、入力端子２６に接続している側から出力端子２５に接続している側へ電気を流すように配置されている。【００４４】
さらに、ダイオード１４に並列に、ＦＥＴスイッチ４が設けられている。ＦＥＴスイッチ４がオンの場合にダイオード１４に電気は流れず、ＦＥＴスイッチ４がオフの場合にダイオード１４に電気が流れる。【００４５】
また、ダイオード１４とＦＥＴスイッチ４との分岐点と二次コイル３２との間にダイオード１３が設けられている。ダイオード１３は、入力端子２６に接続している側から二次コイル３２に接続している側に電気を流すように配置されている。【００４６】
さらに、ダイオード１３に並列に、ＦＥＴスイッチ３が設けられている。ＦＥＴスイッチ３がオンの場合にダイオード１３に電気は流れず、ＦＥＴスイッチ３がオフの場合にダイオード１３に電気が流れる。【００４７】
また、ダイオード１４とＦＥＴスイッチ４との分岐点と出力端子２５との間にチョークコイル４１が設けられている。【００４８】
一次側回路２１１の一次コイル３１及び二次側回路２１２の二次コイル３２がトランスとしてのトランス３０を形成する。入力端子２１から一次側回路２１１に入力された電気は、トランス３０により降圧され二次側回路２１２の出力端子２５から出力される。【００４９】
ＦＥＴスイッチ１，２及び３がオンとなり、ＦＥＴスイッチ４がオフになると、一次側回路２１１では、入力端子２１から入力された電気が、ＦＥＴスイッチ１、一次コイル３１及びＦＥＴスイッチ２を経由して出力端子２２から出力される。この時、一次コイル３１で逆起電力が発生し、それに応じて二次コイル３２に誘導起電力が発生する。この誘導起電力により発生した電気は、チョークコイル４１、コンデンサ４２、ＦＥＴスイッチ３及び二次コイル３２を経由して流れると共に、出力端子２５から出力される。また出力端子２５から出力された電気は、電気を使用するデバイス（メインボード１０２など）を経由したのち、入力端子２６から入力される。【００５０】
ＦＥＴスイッチ１，２及３がオンからオフになると、一次コイル３１を流れる電気は一旦停止する。この直後には、ＦＥＴスイッチ４は未だオフである。この時、チョークコイル４１に蓄えられたエネルギーにより起電力が発生する。この起電力により発生した電気は、コンデンサ４２、チョークコイル４１及びダイオード１４を経由して流れると共に、出力端子２５から出力される。この期間がデッドタイムである。このデッドタイムの期間に、ダイオード１４において損失が発生する。【００５１】
その後、ＦＥＴスイッチ４がオンになると、チョークコイル４１の起電力により発生した電気は、コンデンサ４２、チョークコイル４１及びＦＥＴスイッチ４を経由して流れると共に、出力端子２５から出力される。【００５２】
さらに、時間が経過すると、一次コイル３１に蓄積されたエネルギーにより、ダイオード１２とダイオード１１を経由して出力端子２２から入力端子２１に向けて電気が流れる。この時、一次コイル３１では、ＦＥＴスイッチ１及び２がオンの場合と同じ向きに電気が流れるので、逆起電力はＦＥＴスイッチ１及び２がオンの場合と同じ方向に発生する。これにより、二次側コイル３２で誘導起電力が発生し、二次側回路２１２に電気が流れる。【００５３】
さらに、その後、ＦＥＴスイッチ１，２及び３を再びオンにする前に、ＦＥＴスイッチ４がオフにされる。この時、チョークコイル４１の起電力により発生した電気は、コンデンサ４２、チョークコイル４１及びダイオード１４を経由して流れると共に、出力端子２５から出力される。この期間もデッドタイムである。【００５４】
その後、ＦＥＴスイッチ１，２及び３をオンにすると、最初の状態に戻る。【００５５】
図２に戻り説明を続ける。電流センサ１２２は、コンバータ回路１２１から出力された出力電流を測定する。そして、電流センサ１２２は、出力電流の測定結果をスイッチ制御部２００へ出力する。【００５６】
電圧センサ１２３は、コンバータ回路１２１から出力された出力電圧を測定する。そして、電圧センサ１２３は、出力電圧の測定結果をスイッチ制御部２００へ出力する。【００５７】
スイッチ制御部２００は、オンオフ指示部２０１、Ｄｕｔｙ比補正部２０２、調整時間算出部２０３及びＤｕｔｙ比演算部２０４を有している。【００５８】
調整時間算出部２０３は、コンバータ回路１２１の出力電流の測定結果の入力を電流センサ１２２から受ける。そして、調整時間算出部２０３は、受信した出力電流の値に対してＡ／Ｄ（Analog/Digital）変換を行い、出力電流のデジタル値を取得する。ここで、コンバータ回路１２１からの出力電流は各ＦＥＴスイッチ１〜４に流れるドレイン電流と同じである。そこで、調整時間算出部２０３は、出力電流を用いて、デッドタイムを調整するための調整時間を算出する。以下に、調整時間算出部２０３による、デッドタイムを調整するための調整時間の算出の詳細について説明する。【００５９】
図４は、調整時間の算出を説明するための図である。グラフ３０１は、ＦＥＴスイッチ１のゲート電圧を表すグラフである。グラフ３０３は、ＦＥＴスイッチ４のゲート電圧を表すグラフである。グラフ３０１及び３０３共に、横軸は時間を表しており、縦軸はオンオフを表している。グラフ３０１及び３０３の縦軸の値がＨｉｇｈレベルの場合にスイッチに電圧が印加されている状態であり、Ｌｏｗレベルの場合にスイッチに電圧が印加されていない状態である。また、グラフ３０２は、ＦＥＴスイッチ１のドレイン電圧を表すグラフである。グラフ３０４は、ＦＥＴスイッチ４のドレイン電圧を表すグラフである。グラフ３０２及び３０４共に、横軸は時間を表しており、縦軸は電圧を表している。ＦＥＴスイッチ１及び４は、ドレイン電圧が低くなることで、オンになりドレイン電流が流れる。【００６０】
さらに、グラフ３０２とグラフ３０４において、ＦＥＴスイッチ４のドレイン電圧が０になったタイミングでＦＥＴスイッチ１のドレイン電圧がかかり出すように、グラフ３０１〜３０４は記載されている。また、グラフ３０２とグラフ３０４において、ＦＥＴスイッチ１のドレイン電圧が０になったタイミングでＦＥＴスイッチ４のドレイン電圧がかかり出すように、グラフ３０１〜３０４は記載されている。すなわち、グラフ３０１〜３０４は、デッドタイムが最小になるような状態を表すように記載されている。つまり、グラフ３０１〜３０４のようになるように、ＦＥＴスイッチ１及び４のオンオフを制御することが好ましい。【００６１】
この状態では、期間３１０が、ＦＥＴスイッチ４をオフにしてからＦＥＴスイッチ１をオンにするまでの遅延時間となっている。ここで、期間３１０の時間をＴ１と表す。ＦＥＴスイッチ４をオフにしてからＴ１時間後にＦＥＴスイッチ１のオンにすることで、デッドタイムを最小にすることができる。また、期間３２０が、ＦＥＴスイッチ１をオフにしてからＦＥＴスイッチ４をオンにするまでの遅延時間となっている。ここで、期間３２０の時間をＴ２と表す。ＦＥＴスイッチ１をオフにしてからＴ２時間後にＦＥＴスイッチ４をオンにすることで、デッドタイムを最小にすることができる。【００６２】
ここで、期間３１１は、ＦＥＴスイッチ１のゲート電圧が印加されてからドレイン電圧が下がり始めるまでの時間（以下では、「ＦＥＴスイッチ１のオンのゲートディレイ」という場合がある。）である。以下では、期間３１１を、Ｔｄｓｗ１＿ＯＮと表す。また、期間３１２は、ＦＥＴスイッチ４のゲート電圧がオフになってからドレイン電圧が上がり始めるまでの時間（以下では、「ＦＥＴスイッチ４のオフのゲートディレイ」という場合がある。）である。以下では、期間３１２をＴｄｓｗ４＿ＯＦＦと表す。また、期間３１３は、ＦＥＴスイッチ４のドレイン電圧が上がり始めてからドレイン電流が流れなくなるまでの時間（以下では、「ＦＥＴスイッチ４のオフ時間」という場合がある。）である。以下では、期間３１３を、Ｔｆｓｗ４と表す。【００６３】
この場合、Ｔ１は、Ｔｄｓｗ４＿ＯＦＦとＴｆｓｗ４との和からＴｄｓｗ１＿ＯＮを減算したものである。すなわち、Ｔ１＝Ｔｄｓｗ４＿ＯＦＦ＋Ｔｆｓｗ４−Ｔｄｓｗ１＿ＯＮと表すことができる。【００６４】
また、期間３２１は、ＦＥＴスイッチ１のゲート電圧がオフになってからドレイン電圧が下がり始めるまでの時間（以下では、「ＦＥＴスイッチ１のオフのゲートディレイ」という場合がある。）である。以下では、期間３２１を、Ｔｄｓｗ１＿ＯＦＦと表す。また、期間３２２は、ＦＥＴスイッチ４のゲート電圧がオンになってからドレイン電圧が下がり始めるまでの時間（以下では、「ＦＥＴスイッチ４のオンのゲートディレイ」という場合がある。）である。以下では、期間３１２をＴｄｓｗ４＿ＯＮと表す。また、期間３２３は、ＦＥＴスイッチ１のドレイン電圧が上がり始めてからドレイン電流が流れなくなるまでの時間（以下では、「ＦＥＴスイッチ１のオフ時間」という場合がある。）である。以下では、期間３２３を、Ｔｆｓｗ１と表す。【００６５】
この場合、Ｔ２は、Ｔｄｓｗ１＿ＯＦＦとＴｆｓｗ１との和からＴｄｓｗ４＿ＯＮを減算したものである。すなわち、Ｔ２＝Ｔｄｓｗ１＿ＯＦＦ＋Ｔｆｓｗ１−Ｔｄｓｗ４＿ＯＮと表すことができる。【００６６】
そして、コンバータ回路１２１からの出力電流、すなわちドレイン電流に応じた、ＦＥＴスイッチ１及び４それぞれのオフ時間、オンのゲートディレイ及びオフのゲートディレイは、予め取得することが可能である。例えば、ＦＥＴスイッチの製造元から提供されるＦＥＴスイッチのデータシートなどを参照することで各値を取得することができる。図５は、ＦＥＴスイッチのデータシートの一例の図である。図５は、縦軸で時間を表し、横軸で電流を表している。そして、グラフ４０１は、ＦＥＴスイッチ１のオフのゲートディレイを表している。また、グラフ４０２は、ＦＥＴスイッチ１のオンのゲートディレイを表している。また、グラフ４０３は、ＦＥＴスイッチ１のオフ時間を表している。さらに、グラフ４０４は、ＦＥＴスイッチ１のドレイン電圧がかかり始めてから完全にオンになるまでの時間（オン時間）を表している。【００６７】
グラフ４０１〜４０４から各電流値におけるＦＥＴスイッチ１のオフ時間、オンのゲートディレイ及びオフのゲートディレイを求めることができる。例えば、図６は、２０．７（Ａ）の電流が流れる場合の定義値テーブルである。図５のグラフ４０１〜４０４における２０．７（Ａ）のときの各値を用いることで、２０．７（Ａ）時のＦＥＴスイッチ１及びＦＥＴスイッチ４のそれぞれのオフ時間、オンのゲートディレイ及びオフのゲートディレイを表す定義値テーブル４１０が作成できる。【００６８】
そこで、調整時間算出部２０３は、例えば図６の定義値テーブル４１０のようなテーブルを電流値毎に予め記憶しておく。そして、調整時間算出部２０３は、記憶しているテーブルを用いて、電流センサ１２２から受信したコンバータ回路１２１の出力電流に応じた、ＦＥＴスイッチ１及びＦＥＴスイッチ４のそれぞれのオフ時間、オンのゲートディレイ及びオフのゲートディレイを取得する。例えば、出力電流が２０．７（Ａ）の場合、調整時間算出部２０３は、図６の定義値テーブル４１０から、ＦＥＴスイッチ１及び４のそれぞれのオフ時間、オンのゲートディレイ及びオフのゲートディレイとして、４．５（ｎｓ）、１０（ｎｓ）及び６７（ｎｓ）を取得する。【００６９】
そして、調整時間算出部２０３は、取得した値をＴ１＝Ｔｄｓｗ４＿ＯＦＦ＋Ｔｆｓｗ４−Ｔｄｓｗ１＿ＯＮ及びＴ２＝Ｔｄｓｗ１＿ＯＦＦ＋Ｔｆｓｗ１−Ｔｄｓｗ４＿ＯＮに代入して、Ｔ１及びＴ２を算出する。【００７０】
その後、調整時間算出部２０３は、算出したＴ１及びＴ２をＤｕｔｙ比補正部２０２に出力する。【００７１】
Ｄｕｔｙ比演算部２０４は、出力電圧の測定結果を電圧センサ１２３から受信する。【００７２】
Ｄｕｔｙ比演算部２０４は、受信した電圧値にＡ／Ｄ変換を行い、出力電圧のデジタル値を取得する。そして、Ｄｕｔｙ比演算部２０４は、コンバータ回路１２１の出力電圧のＤｕｔｙ比を算出する。【００７３】
図７は、Ｄｕｔｙ比演算を説明するための図である。図７のＤＳＰ（Digital  Signal  Processor）５０２は、フィルタ回路５０１を数式で記述し、その数式を入力された電圧に対して用いることでＤｕｔｙ比を計算する。例えば、Ｄｕｔｙ比演算部２０４は、受信した出力電圧から目標電圧を減算する。そして、Ｄｕｔｙ比演算部２０４は、ＤＳＰ５０２と同様の位相補償フィルタ演算を行うことでＤｕｔｙ比を取得する。次に、Ｄｕｔｙ比演算部２０４は、算出したＤｕｔｙ比をＤｕｔｙ比補正部２０２へ出力する。【００７４】
Ｄｕｔｙ比補正部２０２は、Ｔ１及びＴ２の値を調整時間算出部２０３から受信する。また、Ｄｕｔｙ比補正部２０２は、現在のＤｕｔｙ比をＤｕｔｙ比演算部２０４から受信する。【００７５】
Ｄｕｔｙ比補正部２０２は、受信した現在のＤｕｔｙ比にＦＥＴスイッチ１及びＦＥＴスイッチ４のスイッチング周期を乗算し、ＦＥＴスイッチ１及びＦＥＴスイッチ４のゲート電圧がオンになっている時間を算出する。ＦＥＴスイッチ１及びＦＥＴスイッチ４のゲート電圧がオンになっている時間を「ｔ×Ｄｕｔｙ」とする。ｔはスイッチング周期を表し、Ｄｕｔｙは現在のＤｕｔｙ比を表している。【００７６】
そして、Ｄｕｔｙ比補正部２０２は、ｔ１×ＤｕｔｙからＴ１を減算して、ＦＥＴスイッチ１のオンの時間を算出する。すなわち、Ｄｕｔｙ比補正部２０２は、ＦＥＴスイッチ１のオンの時間をｔ×Ｄｕｔｙ−Ｔ１として求める。また、Ｄｕｔｙ比補正部２０２は、ｔ×ＤｕｔｙからＴ２を減算して、ＦＥＴスイッチ４のオンの時間を算出する。すなわち、Ｄｕｔｙ比補正部２０２は、ＦＥＴスイッチ４のオンの時間をｔ×Ｄｕｔｙ−Ｔ２として求める。【００７７】
そして、Ｄｕｔｙ比補正部２０２は、ＦＥＴスイッチ１及び４そのそれぞれをオンの時間、並びに、Ｔ１及びＴ２をオンオフ指示部２０１に送信する。【００７８】
オンオフ指示部２０１は、ＦＥＴスイッチ１及び４そのそれぞれをオンの時間、並びに、Ｔ１及びＴ２をＤｕｔｙ比補正部２０２から受信する。【００７９】
そして、オンオフ指示部２０１は、ＦＥＴスイッチ４のゲート電圧をオフにしてからＴ１時間後にＦＥＴスイッチ１〜３のゲート電圧をオンにする。その後、オンオフ指示部２０１は、ＦＥＴスイッチ１のオンの時間が経過すると、ＦＥＴスイッチ１〜３のゲート電圧をオフにしてからＴ２時間後にＦＥＴスイッチ４のゲート電圧をオンにする。その後、オンオフ指示部２０１は、ＦＥＴスイッチ４のオン時間が経過すると、ＦＥＴスイッチ４のゲート電圧をオフにする。オンオフ指示部２０１は、以上のようなスイッチング制御を繰り返す。具体的にはオンオフ指示部２０１は、ＦＥＴスイッチ１及び４のオンオフに合わせたＰＷＭ（Pulse  Width  Modulation）信号を出力することで、ＦＥＴスイッチ１及び４のオンオフを制御する。【００８０】
スイッチ制御部２００は、このようなスイッチング制御を繰り返していくことで、コンバータ回路１２１におけるデッドタイムを最小にすることができる。【００８１】
図８を参照して、スイッチ制御部２００のハードウェア構成について説明する。図８は、スイッチ制御部のハードウェア構成図である。【００８２】
スイッチ制御部２００は、図８に示すように、ゲートドライバ１２４及びワンチップマイコン１２５を有している。そして、ワンチップマイコン１２５には、Ａ／Ｄ変換器１２８、Ａ／Ｄ変換器１２９、ＣＰＵ１２７及びＰＷＭ回路１２６が搭載されている。また図８では、一例として、メインボード１０２が、コンバータ回路１２１に接続されている状態を表している。実際には、他のデバイスもメインボード１０２と同様に接続されている。【００８３】
Ａ／Ｄ変換器１２８は、電圧センサ１２３から入力された出力電圧の測定結果をデジタル信号に変換する。また、Ａ／Ｄ変換器１２９は、電流センサ１２２から入力された出力電流の測定結果をデジタル信号に変換する。【００８４】
ＣＰＵ１２７は、Ａ／Ｄ変換器１２８及び１２９から入力された出力電流及び出力電圧からＦＥＴスイッチ１及びＦＥＴスイッチ４のオンの時間、並びにＴ１及びＴ２を求める。【００８５】
ＰＷＭ回路１２６は、ＣＰＵ１２７からの指示に従い、ＰＷＭ信号をゲートドライバ１２４に送信する。【００８６】
ゲートドライバ１２４は、コンバータ回路１２１のゲート電圧入力端子２３，２４，２７，２８に接続している。ゲートドライバ１２４は、ＰＷＭ１２６からのＰＷＭ信号を受けて、ゲート電圧入力端子２３，２４，２７，２８を介してＦＥＴスイッチ１〜４にゲート電圧を印加する。【００８７】
例えば、Ａ／Ｄ変換器１２９及びＣＰＵ１２７が、図２に例示した調整時間算出部２０３の機能を実現する。また、例えば、Ａ／Ｄ変換器１２８及びＣＰＵ１２７が、図２に例示したＤｕｔｙ比演算部２０４の機能を実現する。さらに、例えば、ＣＰＵ１２７が、Ｄｕｔｙ比補正部２０２の機能を実現する。また、例えば、ＣＰＵ１２７、ＰＷＭ回路１２６及びゲートドライバ１２４はオンオフ指示部２０１の機能を実現する。【００８８】
次に、図９を参照して、本実施例に係る電源装置におけるＤＣ−ＤＣコンバータの制御の流れについて説明する。図９は、実施例１に係る電源装置におけるＤＣ−ＤＣコンバータの制御のフローチャートである。【００８９】
Ｄｕｔｙ比演算部２０４は、電圧センサ１２３で測定されたコンバータ回路１２１の出力電圧に対してＡ／Ｄ変換を行う（ステップＳ１０１）。【００９０】
次に、Ｄｕｔｙ比演算部２０４は、デジタル情報に変換した出力電圧を用いて現在のＤｕｔｙ比を計算する（ステップＳ１０２）。【００９１】
調整時間算出部２０３は、電流センサ１２２で測定されたコンバータ回路１２１の出力電流に対してＡ／Ｄ変換を行う（ステップＳ１０３）。【００９２】
次に、調整時間算出部２０３は、デジタル情報に変換した出力電流に対応するＦＥＴスイッチ１及びＦＥＴスイッチ４それぞれのオフ時間、オンのゲートディレイ及びオフのゲートディレイが記載されたテーブルを参照する（ステップＳ１０４）。【００９３】
そして、調整時間算出部２０３は、ＦＥＴスイッチ４のゲート電圧をオフにしてからＦＥＴスイッチ１のゲート電圧をオンにするまでの遅延時間であるＴ１を算出する（ステップＳ１０５）。【００９４】
次に、調整時間算出部２０３は、ＦＥＴスイッチ１のゲート電圧をオフにしてからＦＥＴスイッチ４のゲート電圧をオンにするまでの遅延時間であるＴ２を算出する（ステップＳ１０６）。【００９５】
Ｄｕｔｙ比補正部２０２は、Ｔ１及びＴ２の入力を調整時間算出部２０３から受ける。また、Ｄｕｔｙ比補正部２０２は、現在のＤｕｔｙ比の入力をＤｕｔｙ比演算部２０４から受ける。そして、Ｄｕｔｙ比補正部２０２は、ＦＥＴスイッチ１及び４のＤｕｔｙ比を修正する（ステップＳ１０７）。具体的には、Ｄｕｔｙ比補正部２０２は、ＦＥＴスイッチ１のオンの時間をｔ×Ｄｕｔｙ−Ｔ１と求める。さらに、Ｄｕｔｙ比補正部２０２は、ＦＥＴスイッチ４のオンの時間をｔ×Ｄｕｔｙ−Ｔ４と求める。【００９６】
オンオフ指示部２０１は、ＦＥＴスイッチ１及び４のオンの時間、並びに、Ｔ１及びＴ２の入力をＤｕｔｙ比補正部２０２から受ける。そして、オンオフ指示部２０１は、ＦＥＴスイッチ１及び４のオンの時間、並びに、Ｔ１及びＴ２に合わせて、ＰＷＭ信号を出力する（ステップＳ１０８）。このＰＷＭ信号のタイミングでＦＥＴスイッチ１〜４のオンオフが行われる。【００９７】
ここで、図９では、説明の都合上、Ｄｕｔｙ比演算部２０４によるステップＳ１０１〜Ｓ１０２の後に、調整時間算出部２０３によるステップＳ１０３〜Ｓ１０６が行われるように記載しているが、これらのステップは並行して実行されてもよい。【００９８】
（変形例）
実施例１では、調整時間算出部２０３は、ＦＥＴスイッチのデータシートから作成したテーブルを用いてＴ１及びＴ２を算出していた。これに対して、本変形例では、ＳＰＩＣＥ（Simulation  Program  with  Integrated  Circuit  Emphasis）シミュレーションによりＴ１及びＴ２を求めておき、その値を用いて制御を行うことが異なる。以下では、調整時間算出部２０３の動作について説明し、他の各部については同じ機能及び動作であるので説明を省略する。【００９９】
図１０は、シミュレーション回路の回路図である。図１０のシミュレーション回路６００は、ＦＥＴスイッチ１と等価のシミュレーション回路である。抵抗６０１は、ドレイン電流を変化させるための抵抗である。抵抗６０１の抵抗値を変更することで、ドレイン電流が変化する。電源６０２は、４００Ｖの入力電源である。スイッチ６０３は、ＦＥＴスイッチ１である。ゲートドライブ回路６０４は、実際に使用する回路に合わせて作成する。【０１００】
ＦＥＴスイッチ１及びＦＥＴスイッチ４のシミュレーションを行うため、実際には、シミュレーション回路６００を２つ並べた回路を用いてシミュレーションを行う。そして、各ドレイン電流に対するＴ１の時間及びＴ２の時間を求める。図１１は、ＳＰＩＣＥシミュレーションの結果を表す図である。図１１の縦軸は時間を表し、横軸はＦＥＴスイッチのドレイン電流の平均値を表している。図１０のシミュレーション回路６００を用いて求めたＴ１がグラフ６１０で表され、Ｔ２がグラフ６２０で表される。【０１０１】
このように、ＳＰＩＣＥシミュレーションを行って、予め求めた各ドレイン電流に対するＴ１及びＴ２を調整時間算出部２０３に記憶させておく。例えば、調整時間算出部２０３は、図１１のグラフ６１０及び６２０を予め記憶している。【０１０２】
調整時間算出部２０３は、受信した出力電流に対応するＴ１及びＴ２をグラフ６１０及び６２０から取得する。そして、調整時間算出部２０３は、取得したＴ１及びＴ２をＤｕｔｙ比補正部２０２へ出力する。【０１０３】
このように、ＳＰＩＣＥシミュレーションを用いることでＴ１及びＴ２の精度を高めることができ、よりデッドタイムを短縮することができる。【０１０４】
図１２は、変形例に係る電源装置と従来の電源装置との効率及び損失を比較するための図である。図１２は、ＤＣ−ＤＣコンバータ１１２が、４００Ｖ入力、１２Ｖ出力のコンバータの場合である。図１２の左側の縦軸は回路効率を表しており、右側の縦軸は回路損失を表している。また、図１２の横軸はＤＣ−ＤＣコンバータ１１２の出力電力を表している。【０１０５】
グラフ７０１が従来の電源装置を用いた場合の回路効率を表すグラフである。また、グラフ７０２が変形例に係る電源装置を用いた場合の回路効率を表すグラフである。グラフ７０２は、グラフ７０１に比べて高い値を維持しており、変形例に係る電源装置は、従来の電源装置に比べて効率が上がっていることが分かる。【０１０６】
グラフ７１１が従来の電源装置を用いた場合の回路損失を表すグラフである。また、グラフ７１２が変形例に係る電源装置を用いた場合の回路損失を表すグラフである。グラフ７１２は、グラフ７１１に比べて低い値を維持しており、変形例に係る電源装置は、従来の電源装置に比べて損失が下がっていることが分かる。【０１０７】
ここで、本変形例では、ＳＰＩＣＥシミュレーションを用いてシミュレーションを行っているが、シミュレーション手法はこれに限らず、コンバータ回路におけるＦＥＴスイッチの動作をシミュレートできるものであれば他の手法を用いてもよい。【０１０８】
以上に説明したように、本実施例及び変形例に係る電源装置は、出力電流すなわちＦＥＴスイッチのドレイン電流に応じて、デッドタイムを短くするようにＦＥＴスイッチのオンオフを制御している。これにより、ドレイン電流が変化することで変化してしまうデッドタイムに応じてＦＥＴスイッチを制御することができ、ドレイン電流の大きさに関わらずデッドタイムを短くすることができる。すなわち、本実施例及び変形例に係る電源装置によれば、デッドタイム期間のエネルギー損失を常に最小に抑えることができる。【０１０９】
さらに、変形例のように、ＳＰＩＣＥシミュレーションを用いることで、よりＦＥＴスイッチのオンオフのタイミングの精度を高めることができ、よりデッドタイムを短くすることができる。
【実施例２】
【０１１０】
図１３は、実施例２に係るＤＣ−ＤＣコンバータのブロック図である。本実施例に係る電源装置は、温度変化によるＦＥＴスイッチの動作の変化も考慮してＦＥＴスイッチのオンオフを制御することが実施例１と異なるものである。以下では、実施例１と同じ機能を有する各部については説明を省略する。【０１１１】
本実施例に係る電源装置は、図２に示した実施例１に係る電源装置に温度センサ１３０をさらに加えたものである。【０１１２】
温度センサ１３０は、ＦＥＴスイッチ１〜４の温度が測定できる位置に配置されている。例えば、温度センサ１３０は、ＦＥＴスイッチ４の近傍に配置され、ＦＥＴスイッチ４の温度を測定し、ＦＥＴスイッチ１〜３の温度もこれに順ずるとしてＦＥＴスイッチ１〜４の温度を測定してもよい。【０１１３】
温度センサ１３０は、測定したＦＥＴスイッチ１〜４の温度を調整時間算出部２０３に通知する。【０１１４】
調整時間算出部２０３は、温度及び出力電流の組合せ毎に、ＦＥＴスイッチ１及びＦＥＴスイッチ４のそれぞれのオフ時間、オンのゲートディレイ及びオフのゲートディレイを表すテーブルを記憶している。【０１１５】
調整時間算出部２０３は、コンバータ回路１２１の出力電流の測定結果の入力を電流センサ１２２から受ける。そして、調整時間算出部２０３は、受信した出力電流の値に対してＡ／Ｄ変換を行い、出力電流のデジタル値を取得する。また、調整時間算出部２０３は、ＦＥＴスイッチ１〜４の温度の測定結果の入力を温度センサ１３０から受ける。【０１１６】
調整時間算出部２０３は、受信した出力電流及び温度に応じたテーブルから、ＦＥＴスイッチ１及びＦＥＴスイッチ４のそれぞれのオフ時間、オンのゲートディレイ及びオフのゲートディレイを取得する。そして、調整時間算出部２０３は、ＦＥＴスイッチ１及びＦＥＴスイッチ４のそれぞれのオフ時間、オンのゲートディレイ及びオフのゲートディレイからＴ１及びＴ２を算出する。【０１１７】
そして、調整時間算出部２０３は、算出したＴ１及びＴ２をＤｕｔｙ比補正部２０２へ出力する。【０１１８】
ここで、本実施例では、テーブルを用いて各値を取得しＴ１及びＴ２を算出しているが、これに限らず、例えば、実施例１の変形例のように、温度とドレイン電流に応じたＳＰＩＣＥシミュレーションを行いＴ１及びＴ２を求めておいても良い。【０１１９】
次に、図１４を参照して、本実施例に係る本実施例に係る電源装置におけるＤＣ−ＤＣコンバータの制御の流れについて説明する。図１４は、実施例２に係る電源装置におけるＤＣ−ＤＣコンバータの制御のフローチャートである。【０１２０】
Ｄｕｔｙ比演算部２０４は、電圧センサ１２３で測定されたコンバータ回路１２１の出力電圧に対してＡ／Ｄ変換を行う（ステップＳ２０１）。【０１２１】
次に、Ｄｕｔｙ比演算部２０４は、デジタル情報に変換した出力電圧を用いて現在のＤｕｔｙ比を計算する（ステップＳ２０２）。【０１２２】
調整時間算出部２０３は、電流センサ１２２で測定されたコンバータ回路１２１の出力電流に対してＡ／Ｄ変換を行う（ステップＳ２０３）。【０１２３】
また、調整時間算出部２０３は、ＦＥＴスイッチ１〜４の温度の測定結果を温度センサ１３０から受ける。次に、調整時間算出部２０３は、出力電流及び温度に応じたＦＥＴスイッチ１及びＦＥＴスイッチ４それぞれのオフ時間、オンのゲートディレイ及びオフのゲートディレイが記載されたテーブルを参照する（ステップＳ２０４）。【０１２４】
そして、調整時間算出部２０３は、ＦＥＴスイッチ４のゲート電圧をオフにしてからＦＥＴスイッチ１のゲート電圧をオンにするまでの遅延時間であるＴ１を算出する（ステップＳ２０５）。【０１２５】
次に、調整時間算出部２０３は、ＦＥＴスイッチ１のゲート電圧をオフにしてからＦＥＴスイッチ４のゲート電圧をオンにするまでの遅延時間であるＴ２を算出する（ステップＳ２０６）。【０１２６】
Ｄｕｔｙ比補正部２０２は、Ｔ１及びＴ２の入力を調整時間算出部２０３から受ける。また、Ｄｕｔｙ比補正部２０２は、現在のＤｕｔｙ比の入力をＤｕｔｙ比演算部２０４から受ける。そして、Ｄｕｔｙ比補正部２０２は、ＦＥＴスイッチ１及び４のＤｕｔｙ比を修正する（ステップＳ２０７）。【０１２７】
オンオフ指示部２０１は、ＦＥＴスイッチ１及び４のオンの時間、並びに、Ｔ１及びＴ２の入力をＤｕｔｙ比補正部２０２から受ける。そして、オンオフ指示部２０１は、ＦＥＴスイッチ１及び４のオンの時間、並びに、Ｔ１及びＴ２に合わせて、ＰＷＭ信号を出力する（ステップＳ２０８）。このＰＷＭ信号のタイミングでＦＥＴスイッチ１〜４のオンオフが行われる。【０１２８】
ここで、図１４では、説明の都合上、Ｄｕｔｙ比演算部２０４によるステップＳ２０１〜Ｓ２０２の後に、調整時間算出部２０３によるステップＳ２０３〜Ｓ２０６が行われるように記載しているが、これらのステップは並行して実行されてもよい。【０１２９】
以上に説明したように、本実施例に係る電源装置は、ＦＥＴスイッチの温度及びドレイン電流に応じてＦＥＴスイッチ１及び４のオンオフのタイミングを調整する。これにより、ＦＥＴスイッチの温度及びドレイン電流の変化に関わらずデッドタイムを短くすることができる。
【実施例３】
【０１３０】
図１５は、実施例３に係るＤＣ−ＤＣコンバータのブロック図である。本実施例に係る電源装置は、定期的なＦＥＴスイッチのオンオフタイミングの調整に加えて、電流の変化が大きい場合にもＦＥＴスイッチのオンオフタイミングを調整することが実施例１と異なるものである。以下では、実施例１と同じ機能を有する各部については説明を省略する。【０１３１】
本実施例に係る電源装置は、図２に示した実施例１に係る電源装置に微分フィルタ２０５及び調整開始判定部２０６をさらに加えたものである。【０１３２】
電流センサ１２２は、コンバータ回路１２１の出力電流の測定結果を調整時間算出部２０３及び微分フィルタ２０５へ出力する。ここで、本実施例では、電流センサ１２２は、ＦＥＴスイッチ１〜４のスイッチングの周期が１回終わるタイミングで出力電流の測定結果の出力を行う。【０１３３】
微分フィルタ２０５は、コンバータ回路１２１の出力電流の測定結果をＡ／Ｄ変換した値の入力を調整時間算出部２０３から受信する。そして、微分フィルタ２０５は、出力電流に対して微分を行う。次に、微分フィルタ２０５は、出力電流の微分結果を調整開始判定部２０６へ出力する。【０１３４】
調整開始判定部２０６は、電流に大きな変化が起こっているか否かを判定するための閾値を記憶している。また調整開始判定部２０６は、カウンタを有している。調整開始判定部２０６のカウンタは、例えば、サーバ１００（図１参照）の起動時に０にセットされる。さらに、調整開始判定部２０６は、カウンタの上限値Ｎを記憶している。【０１３５】
調整開始判定部２０６は、出力電流の微分結果の入力を微分フィルタ２０５から受ける。そして、調整開始判定部２０６は、受信した微分結果が閾値を超えているか否かを判定する。閾値を超えていない場合には、調整開始判定部２０６は、カウンタを１つインクリメントする。そして、カウンタがＮに達した場合、調整開始判定部２０６は、調整時間算出部２０３にＴ１及びＴ２の算出を指示する。その後、調整開始判定部２０６は、カウンタを０にリセットする。ここで、カウンタの上限値Ｎは、どの程度デッドタイムの発生を許容するかによって設定することが好ましい。すなわち、デッドタイムの発生をなるべく抑えたければ、Ｎは小さいほうが好ましく、デッドタイムの発生がある程度許容できる運用であれば、Ｎを大きくすることができる。【０１３６】
これに対して、出力電流の微分結果が閾値を超えている場合、調整開始判定部２０６は、調整時間算出部２０３にＴ１及びＴ２の算出を指示する。その後、調整開始判定部２０６は、カウンタを０にリセットする。【０１３７】
調整時間算出部２０３は、受信した出力電流の測定結果をＡ／Ｄ変換した値を微分フィルタ２０５へ出力する。【０１３８】
その後、調整時間算出部２０３は、Ｔ１及びＴ２の算出の指示を調整開始判定部２０６から受信すると、電流センサ１２２から受信した出力電流を用いてＴ１及びＴ２を算出する。そして、調整時間算出部２０３は、求めたＴ１及びＴ２をＤｕｔｙ比補正部２０２へ出力する。【０１３９】
ここで、微分によるＦＥＴスイッチ１〜４のオンオフのタイミングの調整開始は、具体的には、電流が高速で変化した瞬間を微分回路で検出し、図８に示すワンチップマイコン１２５に割り込みを与えることで、制御ルーチンを動作させる。【０１４０】
次に、図１６を参照して、本実施例に係る電源装置におけるＤＣ−ＤＣコンバータの制御の流れについて説明する。図１６は、実施例３に係る電源装置におけるＤＣ−ＤＣコンバータの制御のフローチャートである。【０１４１】
Ｄｕｔｙ比演算部２０４は、電圧センサ１２３で測定されたコンバータ回路１２１の出力電圧に対してＡ／Ｄ変換を行う（ステップＳ３０１）。【０１４２】
次に、Ｄｕｔｙ比演算部２０４は、デジタル情報に変換した出力電圧を用いて現在のＤｕｔｙ比を計算する（ステップＳ３０２）。【０１４３】
調整時間算出部２０３は、電流センサ１２２で測定されたコンバータ回路１２１の出力電流に対してＡ／Ｄ変換を行う（ステップＳ３０３）。【０１４４】
微分フィルタ２０５は、出力電流の値を調整時間算出部２０３から受信する。そして、微分フィルタ２０５は、出力電流を微分する（ステップＳ３０４）。その後、微分フィルタ２０５は、出力電流の微分結果を調整開始判定部２０６へ出力する。【０１４５】
調整開始判定部２０６は、出力電流の微分結果の入力を微分フィルタから受ける。そして、調整開始判定部２０６は、微分結果が閾値を超えているか否かを判定する（ステップＳ３０５）。閾値を超えている場合（ステップＳ３０５：肯定）、調整開始判定部２０６は、ステップＳ３０８に進む。【０１４６】
これに対して、微分結果が閾値以下の場合（ステップＳ３０５：否定）、調整開始判定部２０６は、自己のカウンタの値を１つインクリメントする、すなわち、Ｃｏｕｎｔ＝Ｃｏｕｎｔ＋１とする（ステップＳ３０６）。ここで、「Ｃｏｕｎｔ」は、調整開始判定部２０６のカウンタの値を示している。【０１４７】
そして、調整開始判定部２０６は、自己のカウンタが上限値Ｎに達している（Ｃｏｕｎｔ＝Ｎ）か否かを判定する（ステップＳ３０７）。上限値Ｎに達していない場合（ステップＳ３０７：否定）、処理はステップＳ３０３に戻る。【０１４８】
これに対して、カウンタが上限値Ｎに達している場合（ステップＳ３０７：肯定）、調整開始判定部２０６は、自己のカウンタを０にリセットする（Ｃｏｕｎｔ＝０）（ステップＳ３０８）。そして、調整開始判定部２０６は、Ｔ１及びＴ２の算出を調整時間算出部２０３に指示する。【０１４９】
次に、調整時間算出部２０３は、Ｔ１及びＴ２の調整時間の算出の指示を調整開始判定部２０６から受けて、デジタル情報に変換した出力電流に対応するテーブルを参照する（ステップＳ３０９）。【０１５０】
そして、調整時間算出部２０３は、ＦＥＴスイッチ４のゲート電圧をオフにしてからＦＥＴスイッチ１のゲート電圧をオンにするまでの遅延時間であるＴ１を算出する（ステップＳ３１０）。【０１５１】
次に、調整時間算出部２０３は、ＦＥＴスイッチ１のゲート電圧をオフにしてからＦＥＴスイッチ４のゲート電圧をオンにするまでの遅延時間であるＴ２を算出する（ステップＳ３１１）。【０１５２】
Ｄｕｔｙ比補正部２０２は、Ｔ１及びＴ２の入力を調整時間算出部２０３から受ける。また、Ｄｕｔｙ比補正部２０２は、現在のＤｕｔｙ比の入力をＤｕｔｙ比演算部２０４から受ける。そして、Ｄｕｔｙ比補正部２０２は、ＦＥＴスイッチ１及び４のＤｕｔｙ比を修正する（ステップＳ３１２）。【０１５３】
オンオフ指示部２０１は、ＦＥＴスイッチ１及び４のオンの時間、並びに、Ｔ１及びＴ２の入力をＤｕｔｙ比補正部２０２から受ける。そして、オンオフ指示部２０１は、ＦＥＴスイッチ１及び４のオンの時間、並びに、Ｔ１及びＴ２に合わせて、ＰＷＭ信号を出力する（ステップＳ３１３）。このＰＷＭ信号のタイミングでＦＥＴスイッチ１〜４のオンオフが行われる。【０１５４】
スイッチ制御部２００は、サーバ１００の電源がオフになったか否かを判定する（ステップＳ３１４）。電源がオフになっていない場合（ステップＳ３１４：否定）、スイッチ制御部２００は、ステップＳ３０１に戻る。これに対して、電源がオフになった場合（ステップＳ３１４：肯定）、スイッチ制御部２００は動作を終了する。【０１５５】
ここで、図１６では、説明の都合上、Ｄｕｔｙ比演算部２０４によるステップＳ３０１〜Ｓ３０２の後に、調整時間算出部２０３、微分フィルタ２０５及び調整開始判定部２０６によるステップＳ３０３〜Ｓ３１１が行われるように記載しているが、これらのステップは並行して実行されてもよい。【０１５６】
また、本実施例では周期的にＦＥＴスイッチのオンオフの調整を行っているが、上限値Ｎを設定しないことで、電流の変化が大きい場合にのみＦＥＴスイッチのオンオフを調整することもできる。【０１５７】
以上に説明したように、本実施例に係る電源装置は、周期的及び電流の変化が大きい場合にＦＥＴスイッチのオンオフのタイミングの調整を行う。これにより、電流の変化が大きくデッドタイムが非常に長くなる場合の対応はできるので、周期的なＦＥＴスイッチのオンオフのタイミングの調整を少なくすることができ、電流の変化が少ない場合のＤＣ−ＤＣコンバータの消費電力を抑えることができる。
【符号の説明】
【０１５８】
１〜４  ＦＥＴスイッチ
１１〜１４  ダイオード
２１  入力端子
２２  出力端子
２３，２４，２７，２８  ゲート電圧入力端子
３０  トランス
３１  一次コイル
３２  二次コイル
４１  チョークコイル
４２  コンデンサ
１００  サーバ
１０１  ＰＳＵ
１１０  整流器
１１１  力率改善回路
１１２  ＤＣ−ＤＣコンバータ
１２１  コンバータ回路
１２２  電流センサ
１２３  電圧センサ
１３０  温度センサ
２００  スイッチ制御部
２０１  オンオフ指示部
２０２  Ｄｕｔｙ比補正部
２０３  調整時間算出部
２０４  Ｄｕｔｙ比演算部
２０５  微分フィルタ
２０６  調整開始判定部
【図１】
2014033864.tif 000003
【図２】
2014033864.tif 000004
【図３】
2014033864.tif 000005
【図４】
2014033864.tif 000006
【図５】
2014033864.tif 000007
【図６】
2014033864.tif 000008
【図７】
2014033864.tif 000009
【図８】
2014033864.tif 000010
【図９】
2014033864.tif 000011
【図１０】
2014033864.tif 000012
【図１１】
2014033864.tif 000013
【図１２】
2014033864.tif 000014
【図１３】
2014033864.tif 000015
【図１４】
2014033864.tif 000016
【図１５】
2014033864.tif 000017
【図１６】
2014033864.tif 000018
【図１７】
2014033864.tif 000019
【図１８】
2014033864.tif 000020
【手続補正書】
【提出日】平成27年11月9日(2015.11.9)
【手続補正１】
【補正対象書類名】特許請求の範囲
【補正対象項目名】全文
【補正方法】変更
【補正の内容】
【特許請求の範囲】
【請求項１】
外部電源からの変圧器の一次巻線への電気の供給を制御する第１のスイッチ素子と、
前記変圧器の二次巻線に並列に接続されたコンデンサと、
前記二次巻線及び前記コンデンサに並列に接続された第２のスイッチ素子と、
前記第２のスイッチ素子に並列に接続された整流素子と、
前記第２のスイッチ素子を流れる電流を測定した値を取得し、前記電流の測定結果を基に、前記第２のスイッチ素子に対してオフの信号を送った後、前記第２のスイッチ素子のオフのゲートディレイ時間と前記第２のスイッチ素子がオフになるまでにかかる時間との加算結果から前記第１のスイッチ素子のオンのゲートディレイ時間を減算した時間の経過後に、前記第１のスイッチ素子に対してオンの信号を送信し、前記第１のスイッチ素子に対してオフの信号を送った後、前記第１のスイッチ素子のオフのゲートディレイ時間と前記第１のスイッチ素子がオフになるまでにかかる時間との加算結果から前記第２のスイッチ素子のオンのゲートディレイ時間を減算した時間の経過後に、前記第２のスイッチ素子に対してオンの信号を送信するように前記第１のスイッチ素子及び前記第２のスイッチ素子の導通を制御するスイッチ制御部と
を備えたことを特徴とする電源装置。
【請求項２】
前記スイッチ制御部は、前記第１のスイッチ素子と前記第２のスイッチ素子とがオフになっている時間が最小となるように制御することを特徴とする請求項１に記載の電源装置。
【請求項３】
前記スイッチ制御部は、前記電流の測定結果から前記第２のスイッチ素子にオフの信号を送ってから前記第１のスイッチ素子にオンの信号を送るまでの第１時間及び前記第１のスイッチ素子にオフの信号を送ってから前記第２のスイッチ素子にオンの信号を送るまでの第２時間を求め、前記第１時間及び前記第２時間を基に前記第１のスイッチ素子及び前記第２のスイッチ素子の導通を制御することを特徴とする請求項１に記載の電源装置。
【請求項４】
前記スイッチ制御部は、前記第２のスイッチ素子のドレイン電圧がオフになったタイミングで前記第１のスイッチ素子のドレイン電圧がかかり始め、前記第１のスイッチ素子のドレイン電圧がオフになったタイミングで前記第２のスイッチ素子のドレイン電圧がかかり始めるように制御することを特徴とする請求項３に記載の電源装置。
【請求項５】
前記スイッチ制御部は、前記電流と前記第１のスイッチ素子及び前記第２のスイッチ素子の動作との関係を予め記憶しており、前記測定結果に対応する前記第１のスイッチ素子及び前記第２のスイッチ素子の動作を取得し、取得した動作を基に前記第１のスイッチ素子及び前記第２のスイッチ素子の導通を制御することを特徴とする請求項１に記載の電源装置。
【請求項６】
前記第１のスイッチ素子は、２つのスイッチ素子を有することを特徴とする請求項１に記載の電源装置。
【請求項７】
前記二次巻線からの出力電流を測定する電流センサと、
前記二次巻線からの出力電圧を測定する電圧センサとをさらに備え、
前記スイッチ制御部は、
前記電圧センサによる測定結果を基に、Ｄｕｔｙ比を算出するＤｕｔｙ比算出部と、
前記スイッチ制御部は、前記電流センサにより測定された前記電流の値を取得し、前記電流の測定結果から前記第２のスイッチ素子にオフの信号を送ってから前記第１のスイッチ素子にオンの信号を送るまでの第１時間及び前記第１のスイッチ素子にオフの信号を送ってから前記第２のスイッチ素子にオンの信号を送るまでの第２時間を求める調整時間算出部と、
第１時間及び第２時間を基に、前記Ｄｕｔｙ比を補正するＤｕｔｙ比補正部と、
前記Ｄｕｔｙ比補正部により補正されたＤｕｔｙ比を基に、前記第１のスイッチ素子及び前記第２のスイッチ素子に対して電圧を印加する電圧印加部とを有する
ことを特徴とする請求項１に記載の電源装置。
【請求項８】
前記第２のスイッチ素子の温度を測定する温度センサをさらに備え、
前記スイッチ制御部は、温度毎に、前記電流と前記第１のスイッチ素子及び前記第２のスイッチ素子の動作との関係を予め記憶しており、前記温度センサにより測定された温度及び前記電流の測定結果を基に、前記第１のスイッチ素子及び前記第２のスイッチ素子の動作を取得し、取得した動作を基に前記第１のスイッチ素子及び前記第２のスイッチ素子の導通を制御することを特徴とする請求項１に記載の電源装置。
【請求項９】
前記スイッチ制御部は、所定時間毎に前記第１のスイッチ素子及び前記第２のスイッチ素子のオンオフのタイミングを制御することを特徴とする請求項１に記載の電源装置。
【請求項１０】
前記スイッチ制御部は、電流の変化を求め、前記所定時間毎に加えて当該変化が大きい場合に、第１のスイッチ素子及び前記第２のスイッチ素子のオンオフのタイミングを制御することを特徴とする請求項９に記載の電源装置。
【請求項１１】
外部電源からの変圧器の一次巻線への電気の供給を制御する第１のスイッチ素子と、前記変圧器の二次巻線に並列に接続されたコンデンサと、前記二次巻線及び前記コンデンサに並列に接続された第２のスイッチ素子と、前記第２のスイッチ素子に並列に接続された整流素子とを有する電源装置の制御方法において、
前記第２のスイッチ素子を流れる電流を測定し、
前記電流の測定結果を基に、前記第２のスイッチ素子に対してオフの信号を送った後、前記第２のスイッチ素子のオフのゲートディレイ時間と前記第２のスイッチ素子がオフになるまでにかかる時間との加算結果から前記第１のスイッチ素子のオンのゲートディレイ時間を減算した時間の経過後に、前記第１のスイッチ素子に対してオンの信号を送信し、前記第１のスイッチ素子に対してオフの信号を送った後、前記第１のスイッチ素子のオフのゲートディレイ時間と前記第１のスイッチ素子がオフになるまでにかかる時間との加算結果から前記第２のスイッチ素子のオンのゲートディレイ時間を減算した時間の経過後に、前記第２のスイッチ素子に対してオンの信号を送信するように前記第１のスイッチ素子及び前記第２のスイッチ素子の導通を制御する
ことを特徴とする電源装置の制御方法。
【手続補正２】
【補正対象書類名】明細書
【補正対象項目名】００２０
【補正方法】変更
【補正の内容】
【００２０】
本願の開示する電源装置及び電源装置の制御方法は、一つの態様において、第１のスイッチ素子は、外部電源からの変圧器の一次巻線への電気の供給を制御する。コンデンサは、前記変圧器の二次巻線に直列に接続される。第２のスイッチ素子は、前記二次巻線及び前記コンデンサに並列に接続される。整流素子は、前記第２のスイッチ素子に並列に接続される。スイッチ制御部は、前記第２のスイッチ素子を流れる電流を測定した値を取得し、前記電流の測定結果を基に、前記第２のスイッチ素子に対してオフの信号を送った後、前記第２のスイッチ素子のオフのゲートディレイ時間と前記第２のスイッチ素子がオフになるまでにかかる時間との加算結果から前記第１のスイッチ素子のオンのゲートディレイ時間を減算した時間の経過後に、前記第１のスイッチ素子に対してオンの信号を送信し、前記第１のスイッチ素子に対してオフの信号を送った後、前記第１のスイッチ素子のオフのゲートディレイ時間と前記第１のスイッチ素子がオフになるまでにかかる時間との加算結果から前記第２のスイッチ素子のオンのゲートディレイ時間を減算した時間の経過後に、前記第２のスイッチ素子に対してオンの信号を送信するように前記第１のスイッチ素子及び前記第２のスイッチ素子の導通を制御する。
【国際調査報告】
2014033864.tif 000021
2014033864.tif 000022
2014033864.tif 000023
2014033864.tif 000024
2014033864.tif 000025
2014033864.tif 000026
2014033864.tif 000027
2014033864.tif 000028